(57)【特許請求の範囲】
【請求項１】
ロールスクリーンの巻き上げロール（１、１４）の端面の環状凹部（２、１５）の中央から突出する軸端部（３、１６）の嵌合部（１０、２３）を、前記環状凹部に内嵌するサイドホルダ（５、１９）の環状凸部（６、１８）の中央の軸孔（７、２０）に挿入して軸受けする軸受構造において、前記嵌合部の先端に球状面（８、２１）と、それから延長して前記嵌合部へ折れる傾斜面（９、２２）からなる先端部（４、１７）を形成し、前記軸孔の入口に軸受部（１２、２５）に集束する円錐状内面（１３、２６）を備えた導入部（１１、２４）を形成し、前記軸受部と前記嵌合部の間隙を前記巻き上げロールにがたつきが生じない程度に小さくしたことを特徴としてなるロールスクリーンの巻き上げロールの軸受構造。
【請求項２】
前記嵌合部（２３）は正４角柱状であり、前記先端部（１７）の傾斜面（２２）は折れて前記正４角柱側面に至る正４角錐面状であり、前記軸受部（２５）は正４角柱状内面を有し、前記導入部は前記円錐状内面（２６）から前記軸受部の正４角柱状内面に至る平坦な傾斜内面（２７）を有することを特徴とする請求項１記載のロールスクリーンの巻き上げロールの軸受構造。
【請求項３】
前記嵌合部の各側面（２８）は中央に側面幅よりも細幅の中高面（２９）を有することを特徴とする請求項２記載のロールスクリーンの巻き上げロールの軸受構造。
【発明の詳細な説明】
【０００１】
【発明の属する技術分野】
本発明はロールスクリーンの巻き上げロールとサイドホルダの軸受構造に関する。
【０００２】
【従来の技術】
ロールスクリーンは、スクリーンを巻き上げロールに巻き、その巻き上げロールの端面の環状凹部中央から突出する軸端部を、サイドホルダの環状凸部中央の軸孔に軸受けする。この軸端部を軸孔に挿入するとき、始めは、軸端部を軸孔に対して少し斜めにしないと、巻き上げロールをサイドホルダに脱着することができないため、従来の軸受構造は、軸端部と軸孔の最小間隙を比較的大きく、例えば内幅で１０％近くに設定していた。この最小間隙は、大きいと、巻き上げロールのサイドホルダへの脱着は容易であるが、巻き上げロールががたつき、小さいと、巻き上げロールはがたつかないが、巻き上げロールのサイドホルダへの脱着が困難になるという問題があった。
【０００３】
【発明が解決しようとする課題】
本発明はこの問題を解決するためになされたものであり、その課題は、ロールスクリーンの巻き上げロールとサイドホルダの軸受構造であって、巻き上げロールのサイドホルダへの脱着が容易であり、かつ巻き上げロールにがたつきが生じないものを提供することにある。
【０００４】
【課題を解決するための手段】
前記課題を達成するため、本発明が採用する手段は、ロールスクリーンの巻き上げロールの環状凹部中央から突出する軸端部の嵌合部の先端に、球状面とそれから延長して嵌合部に折れる傾斜面からなる先端部を形成し、サイドホルダの環状凸部中央の軸孔の入口に、軸受部に集束する円錐状内面からなる導入部を形成し、相互に嵌合する軸受部と、嵌合部の間の最小間隙を巻き上げロールががたつかない程度に小さく、例えば、最小間隙を内幅の８％以下又は０．５ｍｍ以下としたことにある。導入部の円錐状内面は最大径が軸端部の嵌合部の最小幅の１．５倍以上、好ましくは２．５倍以上であり、軸心に対する傾斜角は４５度以下であることが好ましい。
【０００５】
嵌合部が正４角柱状のときは、各側面に側面幅の半幅程度の中高面を形成し、導入部の円錐状内面に軸孔の正４角柱状内面に折れる平坦な傾斜内面を形成することが望ましい。
【０００６】
【発明の実施の形態】
本発明の軸受構造を図面に示す実施例に基づいて説明する。
図１は本発明実施例の軸受構造を備えたロールスクリーンの要部の縦断面図、図２はサイドホルダの要部の側面図である。
【０００７】
ロールスクリーンの巻き上げロール１は、側端面の環状凹部２の中央から円柱状の軸端部３が突出する。この軸端部３は、サイドホルダ５の環状凸部６の中央に設けられた軸孔７に挿入される。環状凸部６は環状凹部２に内嵌する。
【０００８】
軸端部３の嵌合部１０の先端はＲ５の球状面８とそれから延長して嵌合部１０に折れ曲がる円錐面状の傾斜面９からなる先端部４に仕上げられ、軸孔７は入口の導入部１１と奥の軸受部１２からなり、導入部１１は円錐状内面１３を有し、その円錐状内面１３は軸受部１２に集束する。円錐状内面１３の最大径は嵌合部１０の外径の約２倍である。軸心に対する先端部４の傾斜面９の傾斜角度は約５０度、導入部１１の円錐状内面１３の傾斜角度は約３７度である。軸孔７の軸受部１２と軸端部３の嵌合部１０の円柱内面と円柱外面の最小間隙は内幅の８％以下である。
【０００９】
この軸受構造は、れにより、巻き上げロール１の軸心をサイドホルダ５に対して斜めにして、軸端部３を軸孔７に挿入しても、先端部４が軸孔７の導入部１１の円錐状内面に案内されて自動的に軸受部１２を通り抜け、嵌合部１０が軸受部１２にはまり込むから、巻き上げロール１のサイドホルダ５への脱着は容易であり、嵌合部１０と軸受部１２の最小間隙は小さいから、サイドホルダ５に挿入した巻き上げロール１ががたつくおそれは全くない。
【００１０】
【実施例】
次に、図３及び図４に示す別の実施例について説明する。
ロールスクリーンの巻き上げロール１４は、側端面の環状凹部１５の中央から正４各柱状の軸端部１６が突出する。この軸端部１６は、サイドホルダ１９の内側端面の環状凸部１８の中央に設けられた軸孔２０に挿入される。サイドホルダ１９の環状凸部１８は巻き上げロール１４の環状凹部１５にゆるくはまる。
【００１１】
軸端部１６の嵌合部２３の先端に、Ｒ５の球状面２１と、それから軸心に対して５５度の傾斜角で延長する角が丸い４角錐面状の傾斜面２２からなる先端部１７が形成され、その４つの傾斜面２２は折れて嵌合部２３の正４角柱状の側面２８へ至る。嵌合部２３の各側面２４の中央にわずかに高い中高面２９が形成される。中高面３０の幅は側面幅の半分程度である。
【００１２】
軸孔２０は入口の導入部２４と奥の軸受部２５からなる。導入部２４の円錐状内面２６の途中から軸受部２５の正４角柱状の内面に折れる４つの平坦な傾斜内面２７が形成される。軸心に対する円錐状内面２６の傾斜角は約２０度、傾斜内面２７の傾斜角は約３７度である。円錐状内面２６の最大径は嵌合部２３の最小幅の約２倍である。軸孔２０の軸受部２５と軸端部１６の嵌合部２３の間の最小間隙は０．５ｍｍ以下である。
【００１３】
軸受構造は、一方の巻き上げロール１４の軸端部１６の先端部１７が、先の丸い正４角錐状であり、他方のサイドホルダ１９の軸孔２０は、入口が大きな円錐状内面２６の導入部２４であり、その円錐状内面２６に続く傾斜内面２７は正４角柱状内面の軸受部２５に集束すから、巻き上げロール１４をサイドホルダ１９に対して斜めにして軸端部１６を軸孔２０に挿入しても、先端部１７は自動的かつ円滑に軸孔２０の軸受部２５に入り、ついで、嵌合部２３が軸受部２５にはまり込む。したがって、巻き上げロール１４のサイドホルダ１９への脱着は著しく容易である。又、嵌合部２３と軸受部２５の最小間隙は非常に小さいから、巻き上げロール１４ががたつくおそれは全くない。
【００１４】
【発明の効果】
上記のとおり、本発明の軸受構造は、巻き上げロールの軸端部の嵌合部の先端に球状面とそれから延長する傾斜面からなる先端部を形成し、サイドホルダの軸孔の入口に球傾斜して軸受部に集束する比較的大径な円錐状内面の導入部を形成したから、巻き上げロールの軸端部のサイドホルダへの脱着は容易であり、又、サイドホルダの軸受部とそこにはまる巻き上げロール軸端部の嵌合部の最小間隙を比較的小さくしたから、この最小間隙を比較的大きくしていた従来のものに比べると、サイドホルダに支持された巻き上げロールががたつくおそれがないという優れた効果を奏する。
【図面の簡単な説明】
【図１】本発明実施例の軸受構造を備えたロールスクリーンの要部の縦断面図、
【図２】図１のサイドホルダの要部の内側面図、
【図３】別の実施例の図１に相当する図、
【図４】別の実施例の図２に相当する図、
【符号の説明】
１：巻き上げロール
２：環状凹部
３：軸端部
４：先端部
５：サイドホルダ
６：環状凸部
７：軸孔
８：球状面
９：傾斜面
１０：嵌合部
１１：導入部
１２：軸受部
１３：円錐状内面
１４：巻き上げロール
１５：環状凹部
１６：軸端部
１７：先端部
１８：環状凸部
１９：サイドホルダ
２０：軸孔
２１：球状面
２２：傾斜面
２３：嵌合部
２４：導入部
２５：軸受部
２６：円錐状内面
２７：傾斜内面
２８：側面
２９：中高面
【図１】
0004407060.tif 000002
【図２】
0004407060.tif 000003
【図３】
0004407060.tif 000004
【図４】
0004407060.tif 000005